(57)【特許請求の範囲】
【請求項１】
機器本体と、
前記機器本体に収容された記録媒体をクランプしてこの記録媒体を回転するクランプ部と、
前記クランプ部を前記機器本体に対し固定するロック位置と、前記クランプ部を前記機器本体に対し移動可能とするロック解除位置とに亘って変位自在なロック手段と
前記ロック手段が前記ロック解除位置に位置すると、前記クランプ部のクランプを解除することを規制するとともに、前記ロック手段が前記ロック位置に位置すると、前記クランプ部のクランプを解除することを許容するクランプ規制解除部と、
を備え、
前記クランプ部は前記記録媒体を表面上に位置付けかつこの表面上に位置付けた記録媒体をクランプして該記録媒体とともに回転するターンテーブルを備え、前記ターンテーブルのクランプを解除する解除位置と、前記解除位置より前記ターンテーブルから離れて前記ターンテーブルにクランプさせかつ前記記録媒体の情報を読み出す再生位置とに亘って移動自在に設けられたピックアップ部を備え、
前記クランプ規制解除部は前記ロック手段が前記ロック解除位置に位置すると、前記ピックアップ部が解除位置まで移動することを規制し、前記ロック手段が前記ロック位置に位置すると、前記ピックアップ部が解除位置まで移動することを許容する構成となっていることを特徴とする記録媒体再生装置。
【請求項２】
前記クランプ規制解除部は前記ピックアップ部の前記ターンテーブル寄りの端部と内縁部に亘って前記ピックアップ部を切り欠いた切欠きと、
一端部が前記再生位置のピックアップ部の前記切欠き内に侵入可能な状態と、
前記一端部が前記再生位置のピックアップ部の前記切欠き内から抜けでる状態と、に亘って前記機器本体に回転自在に設けられているとともに、一端部が前記切欠き内に侵入する状態に付勢された回動部材と、を備え、
前記ロック手段が前記ロック解除位置に位置すると、前記回動部材の一端部が前記再生位置のピックアップ部の前記切欠き内に侵入するとともに、前記ロック手段が前記ロック位置に位置すると、前記ロック手段により前記一端部が前記切欠き内から抜け出る方向に前記回動部材の他端部が押圧されて、前記回動部材の一端部が前記再生位置のピックアップ部の前記切欠き内から抜け出ることを特徴とする請求項１記載の記録媒体再生装置。
【請求項３】
前記クランプ部は、前記ターンテーブルの表面に対し直行する方向に沿って移動自在に設けられかつ前記ターンテーブルに近づく方向に付勢された可動部材と、
前記ターンテーブルと前記可動部材との間に設けられ、かつ前記可動部材が前記ター
ンテーブルに近づくと一端部が前記表面から突出するとともに、前記可動部材が前記ターンテーブルから離れると前記一端部が前記表面に没する突没部材とを、備え、
前記ピックアップ部には、前記再生位置から解除位置に向かう際に、前記ターンテーブルと可動部材との間に侵入する第１の侵入部が設けられ、前記回動部材の他端部には、前記ピックアップ部が前記再生位置から解除位置に向かう際に、前記ターンテーブルと可動部材との間に侵入する第２の侵入部が設けられており、
前記解除位置では、前記第１の侵入部と第２の侵入部が前記ターンテーブルと前記可動部との間に侵入して、前記突没部材の一端部が前記ターンテブルの表面に没するとともに、
前記再生位置では前記第１の侵入部と第２の侵入部が前記ターンテーブルと前記可動部材との間から抜け出て、前記突没部材の一端部が前記ターンテーブルの表面から突出することを特徴とする請求項２記載の記録媒体再生装置。
【発明の詳細な説明】
【技術分野】
【０００１】
本発明は、自動車などに搭載される記録媒体再生装置に関する。
【背景技術】
【０００２】
例えば、コンパクトディスク（以下、ＣＤと記す）などの光ディスクなどの記録媒体に記録された情報を読み取る記録媒体再生装置（例えば、特許文献１参照。）は、前記情報を読み取るための光学式のピックアップと、前記記録媒体を保持しかつ回転するためのクランプ部とを備えている。クランプ部は、前記記録媒体を回転させるためのターンテーブルと、該ターンテーブルに前記記録媒体を保持するためのクランプ機構を備えている。例えば、自動車などに装備される記録媒体再生装置は、より小型化及び軽量化が望まれている。
【０００３】
このため、前述したクランプ機構として、可動部材と、前記ターンテーブルと可動部材との間に設けられた突没部材と、爪部材と、を備えたものが知られている。前記ターンテーブルは、記録媒体を載置する略平坦な載置面を備えている。可動部材は、載置面の裏側に設けられ、その載置面に対して垂直な方向に沿って摺動自在に設けられ、かつ前記ターンテーブルに向かって付勢されている。
【０００４】
突没部材は、側方からみてく字状に形成されている。突没部材は、前記ターンテーブルの周方向に沿って複数設けられている。突没部材は、前記可動部材がターンテーブルに近づくと、可動部材により持ち上げられて一端部が前記載置面から突出する。そして、該一端部が、載置面との間に記録媒体を挟むことができる。また、突没部材は、前記可動部材がターンテーブルから離れると、自重により一端部が前記載置面に略没する。そして、前記一端部が記録媒体を載置面との間に挟めなくなる。
【０００５】
爪部材は、前記ピックアップに取り付けられている。前記ピックアップが前記ターンテーブルに近づくと、前記爪部材は、ターンテーブルと可動部材との間に侵入する。そして、爪部材は、可動部材をターンテーブルから離す。又、爪部材は、ピックアップがターンテーブルから離れると可動部材との間から抜け出て、可動部材を載置面の裏側に接触させる。
【０００６】
前述した従来のクランプ機構は、前記ピックアップが前記ターンテーブルに近づいて、爪部材がターンテーブルと可動部材との間に侵入する。すると、突没部材の一端部が載置面に没して、載置面に記録媒体を載置可能となる。載置面に記録媒体が載置されると、前記ピックアップが前記ターンテーブルから離れて、爪部材がターンテーブルと可動部材との間から抜け出る。すると、突没部材の一端部が、載置面との間に記録媒体を挟む。こうして、前述した従来のクランプ機構は、記録媒体をクランプする。
【０００７】
記録媒体を載置面から取り外す際には、ピックアップがターンテーブルに近づく。すると、爪部材がターンテーブルと可動部材との間に侵入して、突没部材の一端部が載置面に没する。そして、載置面から記録媒体を取り外すことができる。
【特許文献１】
特開平１０−１６２４６３号公報
【発明の開示】
【発明が解決しようとする課題】
【０００８】
前述した従来の記録媒体再生装置では、光学式のピックアップが記録媒体の所望の記録箇所に読取光（主ビーム）を照射することで、前記所望の記録箇所の情報を読み出している。このため、前述した自動車の走行中などの振動により、前述した所望の記録箇所に読取光（主ビーム）を照射できなくなることがある。この場合、例えば、一旦、ピックアップを最もターンテーブルに近づけた後、記録媒体の前述した所望の記録箇所に読取光（主ビーム）を照射できるようにすることが考えられる。
【０００９】
前述した従来の記録媒体再生装置では、一旦、ピックアップを最もターンテーブルに近づけると、爪部材が前記ターンテーブルと可動部材との間に侵入して、突没部材の一端部が載置面に没してしまう。このため、前述した従来の記録媒体再生装置では、記録媒体の再生中即ちターンテーブルが記録媒体を回転している間に、記録媒体のクランプが外れてしまうことが考えられ望ましくない。このとき、勿論、再生中即ち回転中の記録媒体が、ターンテーブル即ちクランプ部から外れてしまう。
【００１０】
本発明の目的の一例は、記録媒体の再生中にこの記録媒体のクランプが外れることを防止できる記録媒体再生装置を提供することにある。
【課題を解決するための手段】
［００１１］
前記課題を解決し目的を達成するために、本発明の記録媒体再生装置は、機器本体と、前記機器本体に収容された記録媒体をクランプしてこの記録媒体を回転するクランプ部と、前記クランプ部を前記機器本体に対し固定するロック位置と、前記クランプ部を前記機器本体に対し移動可能とするロック解除位置とに亘って変位自在なロック手段と、前記ロック手段が前記ロック解除位置に位置すると、前記クランプ部のクランプを解除することを規制するとともに、前記ロック手段が前記ロック位置に位置すると、前記クランプ部のクランプを解除することを許容するクランプ規制解除部とを備え、前記クランプ部は前記記録媒体を表面上に位置付けかつこの表面上に位置付けた記録媒体をクランプして該記録媒体とともに回転するターンテーブルを備え、前記ターンテーブルのクランプを解除する解除位置と、前記解除位置より前記ターンテーブルから離れて前記ターンテーブルにクランプさせかつ前記記録媒体の情報を読み出す再生位置とに亘って移動自在に設けられたピックアップ部を備え、前記クランプ規制解除部は、前記ロック手段が前記ロック解除位置に位置すると、前記ピックアップ部が解除位置まで移動することを許容する構成となっていることを特徴としている。
【図面の簡単な説明】
［００１２］
［図１］本発明の一実施例にかかる記録媒体再生装置としてのＣＤチェンジャの外観を示す斜視図である。
［図２］図１に示されたＣＤチェンジャの互いに組み付けられた固定シャーシとディスク搬送部とディスク再生部とディスク収容部とディスク位置決め機構を示す斜視図である。
［図３］図２に示された固定シャーシとディスク再生部とディスク収容部との一部を分解して示す斜視図である。
［図４］図２に示されたディスク収容部のホルダと離間溝拡宿機構とを示す斜視図である。
［図５］図４に示された離間溝拡縮機構を拡大して示す斜視図である。
［図６］図５に示された離間溝拡縮機構の第２スライド部材が部材本体の第２の壁から最も離れて一つのホルダの突起と案内溝とが相対した状態を示す斜視図である。
［図７］図６に示された状態の離間溝拡縮機構の移動部材を回転して突起を案内溝の再生部に位置付けた状態を示す斜視図である。
［図８］図５に示された離間溝拡縮機構のスライド部材が部材本体の第２の壁に最も近づいて一つのホルダの突起と案内溝とが相対した状態を示す斜視図である。
［図９］図８に示された状態の離間溝拡縮機構の移動部材を回転して突起を案内溝のローディング部に位置付けた状態を示す斜視図である。
【図１０】図５に示された離間溝拡縮機構の移動部材とスライド部材をこれらの周方向に展開して示す展開図である。
【図１１】図１０に示されたスライド部材の案内溝を一つのホルダの突起と相対させた状態を模式的に示す展開図である。
【図１２】図１１に示された状態から移動部材を回転して、案内溝内に突起を挿入し始めた状態を模式的に示す展開図である。
【図１３】図１２に示された状態から移動部材を更に回転して、案内溝のローディング部内に突起が位置した状態を模式的に示す展開図である。
【図１４】図１３に示された状態から移動部材を更に回転して、案内溝のピックアップ侵入部内に突起が位置した状態を模式的に示す展開図である。
【図１５】図１４に示された状態から移動部材を更に回転して、案内溝のクランプ部内に突起を位置付けた状態を模式的に示す展開図である。
【図１６】図１５に示された状態から移動部材を更に回転して、案内溝の再生部内に突起を位置付けた状態を模式的に示す展開図である。
【図１７】図１６に示された下から２つ目のホルダの突起を案内溝の再生部内に位置付けた状態を模式的に示す展開図である。
【図１８】図１６に示された上から２つ目のホルダの突起を案内溝の再生部内に位置付けた状態を模式的に示す展開図である。
【図１９】図１０に示されたスライド部材を部材本体の第２の壁に最も近づけた状態を模式的に示す展開図である。
【図２０】図１９に示されたスライド部材の案内溝に一つのホルダの突起を相対させた状態を模式的に示す展開図である。
【図２１】図２０に示された状態から移動部材を回転して、案内溝内に突起を挿入し始めた状態を模式的に示す展開図である。
【図２２】図２１に示された状態から移動部材を更に回転して、案内溝のローディング部内に突起を位置付けた状態を模式的に示す展開図である。
【図２３】図２２に示された上から２つ目の保持部材の突起を案内溝のローディング部内に位置付けた状態を模式的に示す展開図である。
【図２４】図２２に示された下から２つ目の保持部材の突起を案内溝のローディング部内に位置付けた状態を模式的に示す展開図である。
【図２５】図１０に示された状態の連動移動機構を示す平面図である。
【図２６】図１１に示された状態の連動移動機構を示す平面図である。
【図２７】図１７に示された状態の連動移動機構を示す平面図である。
【図２８】図１８に示された状態の連動移動機構を示す平面図である。
【図２９】図１９に示された状態の連動移動機構を示す平面図である。
【図３０】図２０に示された状態の連動移動機構を示す平面図である。
【図３１】図２３に示された状態の連動移動機構を示す平面図である。
【図３２】図２４に示された状態の連動移動機構を示す平面図である。
【図３３】図１に示されたＣＤチェンジャの機器本体の移動シャーシとディスク再生部などを示す平面図である。
【図３４】図３３に示されたディスク再生部が複数のＣＤ間に侵入した状態などを示す平面図である。
【図３５】図３４に示されたディスク再生部がＣＤを再生する状態などを示す平面図である。
【図３６】図３３に示されたＣＤチェンジャのロック位置に位置するロック部とディスク再生部などを示す平面図である。
【図３７】図３６に示されたディスク再生部のピックアップ部が解除位置に位置した状態を示す平面図である。
【図３８】図３７に示されたディスク再生部のクランプ部がＣＤをクランプしてピックアップ部が再生位置に位置した状態を示す平面図である。
【図３９】図３８に示されたロック部がロック解除位置に位置した状態を示す平面図である。
【図４０】図３６中のＡ−Ａ線に沿って一部を断面で示す側面図である。
【図４１】図３７中のＢ−Ｂ線に沿って一部を断面で示す側面図である。
【図４２】図３８中のＣ−Ｃ線に沿って一部を断面で示す側面図である。
【図４３】図３９中のＤ−Ｄ線に沿って一部を断面で示す側面図である。
【図４４】図３６中のＥ−Ｅ線に沿う断面図である。
【図４５】図３９中のＦ−Ｆ線に沿う断面図である。
【図４６】図３６中のＧ−Ｇ線に沿う断面図である。
【図４７】図３９中のＨ−Ｈ線に沿う断面図である。
【符号の説明】
【００１３】
１  ＣＤチェンジャ（記録媒体再生装置）
２  ＣＤ（記録媒体）
３  機器本体
６７  クランプ部
６９  ピックアップ部
７０  ロック部（ロック手段）
７１  クランプ規制解除部
７２  ターンテーブル
７２ａ  表面
７４  可動部材
７５  クランプ爪（突没部材）
８１  第１の侵入部
９０  切欠き
９１  回動部材
９１ａ  一端部
９１ｂ  他端部
９２  第２の侵入部
【発明を実施するための最良の形態】
【００１４】
以下、本発明における記録媒体再生装置の実施の形態について説明する。本実施の形態における記録媒体再生装置は、クランプ規制解除部により、ロック手段がクランプ部を移動可能とするロック解除位置ではクランプ部のクランプの解除が規制され、ロック手段がクランプ部を固定するロック位置ではクランプ部のクランプの解除が許容される。こうすることで、クランプ部を機器本体に対し移動可能とするロック解除位置即ち記録媒体の再生中では、記録媒体のクランプが外れることを防止できるようにしたものである。
【００１５】
また、この発明では、クランプ部がターンテーブルとピックアップ部とを備え、クランプ規制解除部は、ロック手段がクランプ部を移動可能とするロック解除位置ではピックアップ部が解除位置まで移動することを規制し、ロック手段がクランプ部を固定するロック位置ではピックアップ部が解除位置まで移動することを許容しても良い。
【００１６】
さらに、クランプ規制解除部が、ピックアップ部に設けられた切欠きと、機器本体に回動自在でかつ前記切欠き内に一端部が侵入可能な回動部材とを備えても良い。また、ピックアップ部にクランプ部のターンテーブルと回動部材との間に侵入可能な第１の侵入部を設け、回動部材の他端部にクランプ部のターンテーブルと回動部材との間に侵入可能な第２の侵入部を設けてもよい。
【実施例】
【００１７】
以下、本発明の一実施例にかかる記録媒体再生装置の一例としてのＣＤチェンジャ１を、図１ないし図４７に基づいて説明する。図１などに示すＣＤチェンジャ１は、自動車などの移動体に装備されて、記録媒体としてのＣＤ２（図２などに示す）を複数収容して、これらのＣＤ２から任意のＣＤ２に記録された情報を読み出（再生）して、音声として出力する装置である。ＣＤ２は、勿論、円板状即ちディスク状に形成されており、コンピュータなどの電子機器で読みとることのできる情報を記録した記録媒体である。
【００１８】
ＣＤチェンジャ１は、図２に示すように、機器本体３（図１に示す）と、図示しない操作部と、ディスク搬送部４と、連動駆動部６０（図３に示す）と、ディスク再生部５と、ディスク収容部６と、ディスク位置決め機構７とを備えている。なお、以下、図２中の矢印ＸをＣＤチェンジャ１の幅方向と記し、矢印ＹをＣＤチェンジャ１の奥行き方向と記し、矢印ＺをＣＤチェンジャ１の厚み方向と記す。
【００１９】
機器本体３は、合成樹脂からなる図１に示す外側ケース８と、板金などからなる図２などに示す固定シャーシ９と、図３に示す第２支持部材としての移動シャーシ１６と、図３に示す揺動シャーシ１７と、図３に示す支持部材及び第１の壁としての移動シャーシ１８とを備えている。外側ケース８は、扁平な箱状に形成されている。外側ケース８には、ＣＤ２を出し入れ可能な挿入口１０が設けられている。挿入口１０は、外側ケース８の外壁を貫通している。挿入口１０は、内側にＣＤ２を通すことができる。挿入口１０を通して、前記ＣＤ２は、外側ケース８即ち機器本体３内に収容されたり、該機器本体３内から排出される。
【００２０】
固定シャーシ９は、外側ケース８内に収容されているとともに、該外側ケース８に固定されている。固定シャーシ９は、図３に示すように、板状の底板１１と、この底板１１の外縁から立設した周板１２とを備えている。底板１１は、外側ケース８の図１中下側に位置する壁上に重ねられている。
【００２１】
操作部は、機器本体３と別体でかつこの機器本体３に接続している。操作部は、ＣＤチェンジャ１の使用者により押圧されるなどして操作される。操作部は、使用者に操作されることで、挿入口１０を通して機器本体３内に挿入されるＣＤ２を保持する後述のホルダ１９を設定するために用いられる。操作部は、使用者に操作されることで、挿入口１０を通して機器本体３外に排出されるＣＤ２を保持したホルダ１９を設定するために用いられる。操作部は、使用者に操作されることで、複数のホルダ１９に保持されたＣＤ２のうち情報を読み出すＣＤ２を設定するために用いられる。
【００２２】
移動シャーシ１６は、板金などからなり、枠状に形成されている。移動シャーシ１６は、ディスク収容部６のホルダ１９が互いに重なる方向即ち複数のＣＤ２が互いに重なる方向Ｋ（図３などに矢印で示す）に沿って移動自在に、固定シャーシ９の周板１２などに支持されている。
【００２３】
揺動シャーシ１７は、板金などからなり、帯板状に形成されている。揺動シャーシ１７は、一端部１７ａを中心として回動自在に移動シャーシ１６に支持されている。揺動シャーシ１７は、一端部１７ａを中心として回動することで、ディスク収容部６に収容される複数のＣＤ２間に他端部１７ｂが侵入する状態と、ディスク収容部６に収容される複数のＣＤ２間から他端部１７ｂが抜け出る状態とに亘って変位自在になっている。
【００２４】
移動シャーシ１８は、板金などからなり、板状に形成されている。移動シャーシ１８は、固定シャーシ９の底板１１と間隔をあけて平行に配されている。移動シャーシ１８は、固定シャーシ９の底板１１との間にディスク再生部５を位置付けている。移動シャーシ１８は、前述した矢印Ｋに沿って移動自在に固定シャーシ９の周板１２などに支持されている。
【００２５】
ディスク搬送部４は、機器本体３内に収容されており、図２に示すように、ローラアーム１３と、ローラ１４とを備えている。ローラアーム１３は、板金などからなり、長手方向が機器本体３の幅方向Ｘに沿った帯状に形成されている。ローラアーム１３は、挿入口１０の近傍に配され、機器本体３の固定シャーシ９に取り付けられている。
【００２６】
ローラ１４は、ローラアーム１３に軸芯周りに回転自在に支持されている。ローラ１４の軸芯即ち長手方向は、ＣＤチェンジャ１の幅方向Ｘに沿っている。ローラ１４は、外周面に挿入口１０内を通されるＣＤ２が接触する。ローラ１４は、複数の歯車１５などを介して後述の第２の駆動源としてのモータ４１により、軸芯周りに回転される。ローラ１４の外周面にＣＤ２が接触し、ローラ１４がモータ４１により回転駆動されることで、ディスク搬送部４は、挿入口１０内にＣＤ２を通す。
【００２７】
連動駆動部６０は、図３などに示すように、第１のスライドシャーシ６１と、第２のスライドシャーシ６２と、揺動アーム６３とを備えている。第１のスライドシャーシ６１は、板金からなり、水平部６４と、鉛直片６５とを一体に備えている。水平部６４は、平板状に形成され、かつ固定シャーシ９の板状の底板１１上に重ねられている。
【００２８】
水平部６４は、他端部１７ｂが複数のＣＤ２間から抜け出た状態の揺動シャーシ１７の長手方向に沿ってスライド自在に前記底板１１に支持されている。水平部６４は、ディスク位置決め機構７の後述するモータ２０の駆動力により、他端部１７ｂが複数のＣＤ２間から抜け出た状態の揺動シャーシ１７の長手方向に沿って移動する。鉛直片６５は、水平部６４の縁から上方即ち第２のスライドシャーシ６２に向かって延びている。
【００２９】
第２のスライドシャーシ６２は、板金からなり、平板状に形成されている。第２のスライドシャーシ６２は、移動シャーシ１６と底板１１との間に配されているとともに、移動シャーシ１６に重ねられている。第２のスライドシャーシ６２は、他端部１７ｂが複数のＣＤ２間から抜け出た状態の揺動シャーシ１７の長手方向に沿ってスライド自在に移動シャーシ１６に支持されている。
【００３０】
また、第２のスライドシャーシ６２には、前述した鉛直片６５が係止している。このため、第２のスライドシャーシ６２は、鉛直片６５とともに、モータ２０の駆動力により、他端部１７ｂが複数のＣＤ２間から抜け出た状態の揺動シャーシ１７の長手方向に沿って移動する。
【００３１】
揺動アーム６３は、板金からなり、平板状に形成されている。揺動アーム６３の平面形状は、図３３ないし図３５に示すように、略く字状に形成されている。揺動アーム６３は、前述した移動シャーシ１６に中央部を中心として回転自在に支持されている。揺動アーム６３は、一端部が前述した第２のスライドシャーシ６２に連結している。揺動アーム６３は、他端部が揺動シャーシ１７に回転自在に連結している。揺動アーム６３は、第２のスライドシャーシ６２が前述した長手方向に沿ってスライドすると、中央部を中心として回転して、揺動シャーシ１７の一端部１７ａを中心として、該揺動シャーシ１７を揺動させる。
【００３２】
連動駆動部６０は、モータ２０の駆動力により、第１のスライドシャーシ６１と第２のスライドシャーシ６２を移動させるとともに、揺動アーム６３を回転して、一端部１７ａを中心として揺動シャーシ１７を揺動させる。
【００３３】
ディスク再生部５は、機器本体３内に収容されており、図３３及び図３６に示すように、揺動シャーシ１７に設けられている。ディスク再生部５は、図３６ないし図３９に示すように、移動フレーム６６と、クランプ部６７と、ピックアップ移動部６８と、ピックアップ部６９と、ロック手段としてのロック部７０と、クランプ規制解除部７１と、を備えている。
【００３４】
移動フレーム６６は、板金からなり平板状に形成されている。移動フレーム６６は、揺動シャーシ１７と、移動シャーシ１８との間に配されており、揺動シャーシ１７に重ねられている。移動フレーム６６は、ゴムやコイルばねなどによって、揺動シャーシ１７に対し移動自在に支持されている。このため、移動フレーム６６即ちクランプ部６７及びピックアップ部６９は、揺動シャーシ１７即ち機器本体３に対し移動自在に支持されている。
【００３５】
ＣＤチェンジャ１が、前記自動車などに取り付けられるため、該自動車の走行中の振動などによって、機器本体３が振動する。そして、移動フレーム６６即ちディスク再生部５は、前述したゴムやコイルばねなどによって、機器本体３に対し移動する。このように、移動フレーム６６がゴムやコイルばねなどにより機器本体３に対し移動自在に支持されることで、ディスク再生部５のピックアップ部６９がＣＤ２の情報を読み出す際の前述した振動による影響を抑制している。
【００３６】
クランプ部６７は、図４０に示すように、ターンテーブル７２と、スピンドルモータ７３と、可動部材７４と、突没部材としての複数のクランプ爪７５とを備えている。ターンテーブル７２は、揺動シャーシ１７の他端部１７ｂに配され、移動フレーム６６に回転自在に支持されている。ターンテーブル７２は、円板状に形成されており、表面７２ａ上にＣＤ２が置かれる。また、ターンテーブル７２は、孔７６が複数形成されている。孔７６は、勿論、ターンテーブル７２を貫通している。図示例では、孔７６は、三つ設けられている。これらの孔７６は、前記表面７２ａに対し直交しかつ前記ターンテーブル７２の中心を通る軸芯を中心として、周方向に沿って等間隔に配されている。
【００３７】
スピンドルモータ７３は、揺動シャーシ１７の他端部１７ｂに配され、移動フレーム６６とターンテーブル７２との間に設けられている。スピンドルモータ７３は、移動フレーム６６に固定されており、その出力軸がターンテーブル７２の中央に取り付けられている。スピンドルモータ７３は、ターンテーブル７２を前述した軸芯周りに回転する。
【００３８】
可動部材７４は、円環状に形成されている。可動部材７４は、内側にスピンドルモータ７３の出力軸を通し、スピンドルモータ７３とターンテーブル７２との間に配されている。可動部材７４は、ターンテーブル７２及びスピンドルモータ７３と同軸に配されている。可動部材７４は、前記軸芯に沿って移動自在に設けられている。このため、可動部材７４は、ターンテーブル７２の表面７２ａに対し直交する方向に沿って移動自在に設けられている。さらに、可動部材７４は、コイルばねなどにより、ターンテーブル７２に近づく方向に付勢されている。
【００３９】
クランプ爪７５は、図４０に示すように、側方からみて、く字状に形成されている。クランプ爪７５は、ターンテーブル７２と可動部材７４との間でかつ前記孔７６内に設けられている。このため、クランプ爪７５は、ターンテーブル７２と可動部材７４との間に配されている。
【００４０】
クランプ爪７５は、一端部が孔７６を通して前記表面７２ａから突出するクランプ位置（図４０などに示す）と、一端部が表面７２ａ下に没するアンクランプ位置（図４１などに示す）と、に亘って変位自在に、他端部がターンテーブル７２に回転自在に支持されている。
【００４１】
クランプ爪７５の一端部は、図４０に示すように、可動部材７４がターンテーブル７２に近づくと、表面７２ａから突出する。また、一端部は、図４１に示すように、可動部材７４がターンテーブル７２から離れると、クランプ爪７５自体の自重によって、下方に変位する。そして、一端部は、可動部材７４がターンテーブル７２から離れると、表面７２ａ下に没する。
【００４２】
クランプ爪７５の一端部は、ターンテーブル７２の表面７２ａから突出すると、ターンテーブル７２上のＣＤ２の中央孔内に突出して、ターンテーブル７２との間にＣＤ２を挟む。クランプ爪７５は、一端部がターンテーブル７２との間に挟むことで、ＣＤ２をクランプする。
【００４３】
ピックアップ移動部６８は、移動フレーム６６と、移動シャーシ１８との間に配されているとともに、移動フレーム６６上に設けられている。ピックアップ移動部６８は、図示しないモータと、ねじ軸７７などを備えている。モータは、揺動シャーシ１７の一端部１７ａに配され、移動フレーム６６に取り付けられている。モータの出力軸にはウォームが取り付けられている。このウォームは、ねじ軸７７に取り付けられたウォームホイールと噛み合っている。
【００４４】
ねじ軸７７は、移動フレーム６６にその軸芯周りに回転自在に支持されている。ねじ軸７７の長手方向は、揺動シャーシ１７の長手方向と平行である。ねじ軸７７は、モータと前述したウォームとウォームホイールなどにより、その軸芯周りに回転される。ピックアップ移動部６８は、ねじ軸７７を回転することで、ピックアップ部６９をねじ軸７７と揺動シャーシ１７の長手方向に沿ってスライドして、ターンテーブル７２に接離させる。なお、接離とは、互いに近づいたり離れたりすることである。
【００４５】
ピックアップ部６９は、ピックアップとしての光ピックアップ７８と、ピックアップケース７９とを備えている。光ピックアップ７８は、ターンテーブル７２に支持されたＣＤ２から情報を読み出す。ピックアップケース７９は、箱状に形成されており、光ピックアップ７８が出射する読取光（主ビーム）を通すことのできる窓８０と、ねじ軸７７に螺合するねじ孔とを備えている。ピックアップケース７９は、ねじ孔にねじ軸７７が螺合することで、ねじ軸７７が回転すると、該ねじ軸７７の長手方向に沿って移動する。
【００４６】
ピックアップ部６９は、ピックアップ移動部６８により、揺動シャーシ１７即ちねじ軸７７の長手方向に沿って移動し、ターンテーブル７２に接離する。ピックアップ部６９は、ターンテーブル７２に支持されたＣＤ２から情報を読み出す。
【００４７】
また、ピックアップケース７９即ちピックアップ部６９には、図３８に示すように、第１の侵入部８１が設けられている。第１の侵入部８１は、ピックアップケース７９からターンテーブル７２に向かって凸に形成されている。第１の侵入部８１は、ピックアップケース７９からターンテーブル７２に向かうにしたがって、徐々に薄くなるように形成されている。
【００４８】
第１の侵入部８１は、ピックアップケース７９即ちピックアップ部６９がターンテーブル７２に近づくと、ターンテーブル７２と可動部材７４との間に侵入可能である。第１の侵入部８１は、ピックアップケース７９即ちピックアップ部６９がターンテーブル７２に近づくと、ターンテーブル７２と可動部材７４との間に侵入して、前述したアンクランプ位置までターンテーブル７２から可動部材７４を離す。
【００４９】
前述した構成によって、ピックアップ部６９は、ターンテーブル７２に近づいて、前記第１の侵入部８１がターンテーブル７２と可動部材７４との間に侵入して、可動部材７４をターンテーブル７２から離す解除位置（図３７及び図４１に示す）と、該解除位置よりターンテーブル７２から離れて、第１の侵入部８１がターンテーブル７２と可動部材７４との間に侵入せずに、可動部材７４をターンテーブル７２に近づけた状態に保つ再生位置（図３６及び図４０などに示す）とに亘って、ターンテーブル７２に接離させる。則ち、ピックアップ部６９は、解除位置と再生位置とに亘って移動自在に設けられている。
【００５０】
解除位置では、第１の侵入部８１即ちピックアップ部６９は、クランプ部６７を前述したアンクランプ状態に保ち、ターンテーブル７２のＣＤ２のクランプを解除する。再生位置では、第１の侵入部８１即ちピックアップ部６９は、クランプ部６７を前述したクランプ状態に保ち、ターンテーブル７２にＣＤ２をクランプさせて、該ＣＤ２の情報を読み出すことができる。
【００５１】
ロック部７０は、図３３ないし図３５に示すように、第１のロック部材８２と、第２のロック部材８３とを備えている。第１のロック部材８２及び第２のロック部材８３は、揺動シャーシ１７と、移動フレーム６６との間に配されている。第１のロック部材８２は、板金からなり屈曲した帯状の本体部８４と、係止爪８５とを一体に備えている。第１のロック部材８２は、本体部８４の長手方向が揺動シャーシ１７の長手方向と平行な状態で、揺動シャーシ１７に支持されている。また、第１のロック部材８２は、揺動シャーシ１７の長手方向に沿ってスライド自在に揺動シャーシ１７に支持されている。
【００５２】
係止爪８５は、本体部８４の揺動シャーシ１７の他端部１７ｂ寄りの一端部に設けられている。係止爪８５は、本体部８４から立設している。係止爪８５は、第１のロック部材８２がスライドすると、揺動シャーシ１７の他端部１７ｂ側の縁から突出するロック解除位置（図３５及び図３９に示す）と、揺動シャーシ１７の他端部１７ｂと重なるロック位置（図３３及び図３６などに示す）とに亘って、変位自在である。
【００５３】
また、係止爪８５の本体部８４寄りの縁部には、図４４及び図４５に示すように、前記ロック解除位置で移動フレーム６６と相対するとともに、前記ロック位置で移動フレーム６６を内側に位置付ける凹み８６が形成されている。凹み８６は、係止爪８５の本体部８４寄りの縁部を前記移動フレーム６６から離れる方向に凹に形成している。
【００５４】
第１のロック部材８２は、ロック位置で、移動フレーム６６を凹み８６内に位置付けて、係止爪８５が移動フレーム６６に係止する。第１のロック部材８２は、係止爪８５が移動フレーム６６に係止すると、該移動フレーム６６が揺動シャーシ１７即ち機器本体３に対し移動することを規制する（固定する）。
【００５５】
第２のロック部材８３は、図３３ないし図３５に示すように、板金からなり帯状の本体部８７と、係止爪８８とを一体に備えている。第２のロック部材８３は、中央部を中心として回転自在に揺動シャーシ１７に支持されている。また、第２のロック部材８３の本体部８７の一端部は、第１のロック部材８２の他端部と回転自在に連結している。
【００５６】
係止爪８８は、本体部８７の他端部に設けられている。係止爪８８は、本体部８７から立設している。係止爪８８は、第２のロック部材８３が回転すると、揺動シャーシ１７の一端部１７ａ側の縁から突出するロック解除位置（図３５及び図３９に示す）と、揺動シャーシ１７の一端部１７ａと重なるロック位置（図３３及び図３６などに示す）とに亘って、変位自在である。
【００５７】
また、係止爪８８には、図４６及び図４７に示すように、前記ロック解除位置で移動フレーム６６と相対するとともに、前記ロック位置で移動フレーム６６を内側に位置付けるスリット８９が形成されている。スリット８９は、勿論、係止爪８８を貫通している。スリット８９は、係止爪８８を前記移動フレーム６６から離れる方向に凹に形成している。
【００５８】
第２のロック部材８３は、ロック位置で、移動フレーム６６をスリット８９内に位置付けて、係止爪８８が移動フレーム６６に係止する。第２のロック部材８３は、係止爪８８が移動フレーム６６に係止すると、該移動フレーム６６が揺動シャーシ１７即ち機器本体３に対し移動することを規制する。
【００５９】
前述した第１のロック部材８２と第２のロック部材８３とは、互いに回転自在に連結しているので、互いに連動して、前述したロック解除位置と、ロック位置とに亘って変位する。勿論、第１のロック部材８２がロック解除位置となると、第２のロック部材８３がロック解除位置になり、第１のロック部材８２がロック位置となると、第２のロック部材８３がロック位置になる。さらに、第１のロック部材８２と、第２のロック部材８３とは、前述した第１及び第２のスライドシャーシ６１，６２のスライドにより、前述したロック位置とロック解除位置とに亘って変位する。
【００６０】
前述した構成のロック部７０は、係止爪８５，８８が移動フレーム６６に係止して、クランプ部６７を揺動シャーシ１７即ち機器本体３に対し固定するロック位置と、係止爪８５，８８の凹み８６及びスリット８９が移動フレーム６６と間隔をあけて相対して、クランプ部６７を揺動シャーシ１７即ち機器本体３に対し移動自在とするロック解除位置と、に亘って、変位自在である。
【００６１】
クランプ規制解除部７１は、図３６ないし図３９に示すように、切欠き９０と、回動部材９１とを備えている。切欠き９０は、ピックアップケース７９即ちピックアップ部６９に設けられている。切欠き９０は、ピックアップケース７９即ちピックアップ部６９の揺動シャーシ１７の長手方向に沿ってターンテーブル７２寄りの端部と、ターンテーブル７２の周方向に沿ってターンテーブル７２寄りの内縁部とに亘って、ピックアップケース７９を切り欠いている。
【００６２】
回動部材９１は、棒状に形成されている。回動部材９１は、揺動シャーシ１７の他端部１７ｂに配されている。回動部材９１は、中央部を中心として移動フレーム６６に回動自在に支持されている。回動部材９１の一端部９１ａが切欠き９０内に侵入可能でかつ他端部９１ｂが第１のロック部材８２の係止爪８５に当接可能になっている。
【００６３】
回動部材９１は、移動フレーム６６などにより図３９に示す一端部９１ａが切欠き９０内に侵入した状態で、更に一端部９１ａがターンテーブル７２に近づく方向に回転することが規制されている。また、回動部材９１は、図３９に示す一端部９１ａが切欠き９０内に侵入した状態で、一端部９１ａがターンテーブル７２に近づく方向にばねなどにより付勢されている。
【００６４】
また、回動部材９１は、図３９に示す一端部９１ａが切欠き９０内に侵入した状態で、ピックアップケース７９などと当接して、ピックアップ部６９が前述した解除位置までターンテーブル７２に近づくことを規制する。さらに、回動部材９１は、図３９に示す状態から一端部９１ａがターンテーブル７２から離れる方向に回転して、図３６に示す一端部９１ａが切欠き９０内から抜け出た状態で、ピックアップ部６９が前述した解除位置までターンテーブル７２に近づくことを許容する。また、回動部材９１は、図３６に示す一端部９１ａが切欠き９０内から抜け出た状態で、他端部９１ｂに第１のロック部材８２の係止爪８５などに当接する。
【００６５】
さらに、回動部材９１の他端部９１ｂには、第２の侵入部９２が設けられている。第２の侵入部９２は、回動部材９１の他端部９１ｂからターンテーブル７２に向かって凸に形成されている。第２の侵入部９２は、図４０に示すように、回動部材９１の他端部９１ｂからターンテーブル７２に向かうにしたがって、徐々に薄くなるように形成されている。第２の侵入部９２は、回動部材９１の他端部９１ｂがターンテーブル７２に近づくと、ターンテーブル７２と可動部材７４との間に侵入可能である。第２の侵入部９２は、回動部材９１の他端部９１ｂがターンテーブル７２に近づくと、ターンテーブル７２と可動部材７４との間に侵入して、前述した第１の侵入部８１と共同して、アンクランプ位置までターンテーブル７２から可動部材７４を離す。
【００６６】
前述したクランプ規制解除部７１は、ロック部７０が前述したロック位置に位置すると、第１のロック部材８２の係止爪８５から他端部９１ｂが押圧されて、一端部９１ａが切欠き９０内から抜け出る方向に回動部材９１は回転する。そして、回動部材９１の一端部９１ａは、切欠き９０内から抜け出る。
【００６７】
このため、クランプ規制解除部７１は、ロック部７０が前述したロック位置に位置すると、ピックアップ部６９が前述した解除位置までターンテーブル７２に近づくことを許容する（ピックアップ部６９が解除位置まで移動することを許容する）構成になっている。即ち、クランプ規制解除部７１は、ロック部７０が前述したロック位置に位置すると、前記クランプ部６７のクランプを解除することを許容する。
【００６８】
また、クランプ規制解除部７１は、ロック部７０が前述したロック解除位置に位置すると、第１のロック部材８２の係止爪８５が他端部９１ｂから離れて、前述したばねなどの付勢力により一端部９１ａが切欠き９０内に侵入した状態に保たれる。このため、クランプ規制解除部７１は、ロック部７０が前述したロック解除位置に位置すると、ピックアップ部６９が前述した解除位置までターンテーブル７２に近づくことを規制する（ピックアップ部６９が解除位置まで移動することを規制する）構成になっている。即ち、クランプ規制解除部７１は、ロック部７０が前述したロック解除位置に位置すると、前記クランプ部６７のクランプを解除することを規制する。
【００６９】
ディスク再生部５は、揺動シャーシ１７の他端部１７ｂがＣＤ２間に侵入して、クランプ部６７のクランプ爪７５がＣＤ２をクランプするとともに、ターンテーブル７２がＣＤ２を回転する。ディスク再生部５は、ピックアップ部６９の光ピックアップ７８が、ターンテーブル７２により回転されたＣＤ２から情報を読み出す。
【００７０】
ディスク収容部６は、機器本体３内に収容されており、図３に示すように、複数の保持部材としてのホルダ１９とを備えている。
【００７１】
ホルダ１９は、合成樹脂からなり、板状に形成されている。ホルダ１９の平面形状は、Ｃ字状に形成されている。ホルダ１９は、底板１１と移動シャーシ１８との双方と平行な状態で、移動シャーシ１８に支持されている。ホルダ１９は、そのＣ字状に形成された開口部が挿入口１０と相対する状態に配されている。
【００７２】
ホルダ１９は、挿入口１０を通して機器本体３に挿入されたＣＤ２が、開口部を通して内側に侵入することで、このＣＤ２を保持する。複数のホルダ１９は、各々が保持するＣＤ２の表面が互いに平行になるように、互いに重ねられて配されている。ホルダ１９は、前記矢印Ｋに沿って移動自在に移動シャーシ１８などに支持されている。各々のホルダ１９には、外方向に向かって突出した突起２９（図１０ないし図２４に示す）が設けられている。
【００７３】
ディスク位置決め機構７は、機器本体３内に収容されており、駆動源としてのモータ２０（図３に示す）と、離間溝拡縮機構２１（図５ないし図９に示す）と、連動移動機構２２（図２５ないし図３２に示す）とを備えている。モータ２０は、図３に示すように、固定シャーシ９に固定されている。
【００７４】
離間溝拡縮機構２１は、図４に示すように、３つ設けられており、機器本体３の隅部に設けられている。離間溝拡縮機構２１は、図５ないし図９に示すように、円柱状に形成されており、移動部材２３と、スライド部材２４とを備えている。移動部材２３は、部材本体２５と、第２スライド部材２６とを備えている。
【００７５】
部材本体２５は、円柱状に形成されており、固定シャーシ９の底板１１に軸芯周りに回転自在に支持されている。部材本体２５は、底板１１から立設している。部材本体２５の軸芯は、前述した矢印Ｋと平行に配されている。部材本体２５は、前述したモータ２０の駆動力により軸芯周りに回転される。部材本体２５がモータ２０の駆動力により軸芯周りに回転されることは、本明細書に記した部材本体２５がモータ２０の駆動力により移動されることを示している。
【００７６】
第２スライド部材２６は、円管状に形成されており、部材本体２５の外周に取り付けられてこの部材本体２５と同軸に配されている。第２スライド部材２６と部材本体２５とは、キーにより互いに取り付けられている。第２スライド部材２６は、前述した矢印Ｋに沿って移動自在に部材本体２５に取り付けられている。また、第２スライド部材２６は、前述した部材本体２５と一体に（連動して）前述した軸芯周りに回転する。
【００７７】
また、前述した移動部材２３には、図１０ないし図２４に示すように、第１の壁としての移動シャーシ１８が取り付けられているとともに、第２の壁２７と、連結壁２８が設けられている。移動シャーシ１８と第２の壁２７は、移動部材２３の軸芯方向の両縁に設けられており、軸芯に沿って互いに間隔をあけて配されている。このため、移動シャーシ１８と第２の壁２７は、移動部材２３の両縁から外周方向に突出している。
【００７８】
移動シャーシ１８は、移動部材２３の第２スライド部材２６の固定シャーシ９の底板１１から離れた側の縁に取り付けられている。このことを、本発明では、第１の壁としての移動シャーシ１８が移動部材２３に設けられているという。このため、第２スライド部材２６は、移動シャーシ１８と一体に（連動して）矢印Ｋに沿って移動する。移動シャーシ１８は、前述した矢印Ｋに対し直交する方向に沿った平板状に形成されている。
【００７９】
第２の壁２７は、部材本体２５と第２スライド部材２６とに亘って設けられており、移動部材２３の固定シャーシ９の底板１１寄りの縁に設けられている。第２の壁２７は、移動部材２３の縁から外周方向に突出している。このため、第２の壁２７は、円環状に形成されている。第２の壁２７は、第２スライド部材２６から部材本体２５に向かうにしたがって、移動シャーシ１８から徐々に離れる方向に、前述した矢印Ｋとこの矢印Ｋに対し直交する方向との双方に交差した方向に延びている。
【００８０】
また、前述した移動シャーシ１８と第２の壁２７との間において、矢印Ｋに沿って互いの間にスライド部材２４の後述のくさび部３０が位置付けられていない部分では、前述した移動シャーシ１８と第２の壁２７との間隔は、ホルダ１９の数と突起２９の矢印Ｋ方向の幅との積に等しい又は略等しい。連結壁２８は、第２スライド部材２６に設けられ、前述した矢印Ｋに沿って直線状に延びているとともに、前記移動シャーシ１８と第２の壁２７とを互いに連結している。
【００８１】
移動部材２３は、前述した移動シャーシ１８と第２の壁２７との間に、突起２９を位置付けて、前述したホルダ１９を保持する。また、移動部材２３は、軸芯周りに回転することで、前述した移動シャーシ１８と第２の壁２７との間で突起２９が前述した連結壁２８から接離するように矢印Ｋに対し交差する方向に沿って移動することを許容する。このため、移動部材２３は、モータ２０の駆動力により、後述の離間溝３９，４０の奥に向かって突起２９が侵入する方向に移動される。さらに、移動部材２３は、後述の収容位置で、すべてのホルダ１９の突起２９を、移動シャーシ１８と第２の壁２７との間に位置付ける。
【００８２】
スライド部材２４は、円管状に形成されており、部材本体２５の外周に取り付けられてこの部材本体２５等と同軸に配されている。スライド部材２４と部材本体２５とは、キーにより互いに取り付けられている。スライド部材２４は、前述した矢印Ｋに沿って移動自在に部材本体２５に取り付けられている。また、スライド部材２４は、前述した部材本体２５と一体（連動して）に前述した軸芯周りに回転する。さらに、スライド部材２４は、ディスク再生部５の移動シャーシ１６に取り付けられており、この移動シャーシ１６即ち前述した光ピックアップ７８と一体に（連動して）矢印Ｋに沿って移動する。
【００８３】
さらに、スライド部材２４は、くさび部３０と、案内溝３１とを備えている。くさび部３０は、前述した移動シャーシ１８と、第２の壁２７との間に位置しているとともに、連結壁２８と間隔をあけて配されている。このため、スライド部材２４のくさび部３０は、前述した移動シャーシ１８と第２の壁２７との間を矢印Ｋに沿って移動する。くさび部３０は、第２スライド部材２６に向かうにしたがって、矢印Ｋに沿う幅が徐々に細くなるように形成されている。
【００８４】
案内溝３１は、くさび部３０に設けられている。案内溝３１は、スライド部材２４のくさび部３０の外周面に形成されている。即ち、案内溝３１は、スライド部材２４のくさび部３０の外周面から凹に形成されている。案内溝３１の矢印Ｋに沿う幅は、一つの突起２９の矢印Ｋに沿う幅と略等しい。案内溝３１は、図１０ないし図２４に示すように、連結壁２８に相対する開口部３２と、ローディング部３３と、ピックアップ侵入部３４と、第１連結部３５と、挟持部３６と、第２連結部３７と、再生部３８とを備えている。ローディング部３３と、ピックアップ侵入部３４と、挟持部３６と、再生部３８とは、矢印Ｋに対し直交する方向に沿って延びている。第１連結部３５と、第２連結部３７とは、矢印Ｋとこの矢印Ｋに対し直交する方向との双方に対し交差する方向に沿って延びている。
【００８５】
ローディング部３３は、開口部３２に連なり、この開口部３２の連結壁２８から離れた側に配されている。ピックアップ侵入部３４は、ローディング部３３に連なり、このローディング部３３の連結壁２８から離れた側に配されている。さらに、ピックアップ侵入部３４は、ローディング部３３より部材本体２５の第２の壁２７から離れた側に配されている。
【００８６】
第１連結部３５は、ピックアップ侵入部３４に連なり、このピックアップ侵入部３４の連結壁２８から離れた側に配されている。第１連結部３５は、ピックアップ侵入部３４から離れるのにしたがって徐々に部材本体２５の第２の壁２７に近づく方向に延びている。挟持部３６は、第１連結部３５に連なり、この第１連結部３５の連結壁２８から離れた側に配されている。第２連結部３７は、挟持部３６に連なり、この挟持部３６の連結壁２８から離れた側に配されている。第２連結部３７は、挟持部３６から離れるのにしたがって徐々に部材本体２５の第２の壁２７に近づく方向に延びている。再生部３８は、第２連結部３７に連なり、この第２連結部３７の連結壁２８から離れた側に配されている。
【００８７】
案内溝３１は、開口部３２を通して、突起２９が侵入することを許容する。さらに、案内溝３１は、ローディング部３３と、ピックアップ侵入部３４と、第１連結部３５と、挟持部３６と、第２連結部３７と、再生部３８内に順に突起２９が移動することを許容する。
【００８８】
ローディング部３３内に位置付けられた突起２９を設けたホルダ１９は、挿入口１０と矢印Ｙに沿って相対する。そして、ローディング部３３内に位置付けられた突起２９を設けたホルダ１９は、挿入口１０を通して挿入されたＣＤ２を保持できるとともに、挿入口１０を通して保持したＣＤ２を機器本体３外に排出できる。
【００８９】
ピックアップ侵入部３４内に位置付けられた突起２９を設けたホルダ１９は、図２中下方に位置する他のホルダ１９から離れて、この図中下方に位置するホルダ１９との間に揺動シャーシ１７の他端部１７ｂ即ちピックアップ部６９などが侵入することを許容する。挟持部３６内に位置付けられた突起２９を設けたホルダ１９は、保持したＣＤ２をディスク再生部５のクランプ部６７がクランプすることを許容する。再生部３８内に位置付けられた突起２９を設けたホルダ１９は、クランプ部６７にクランプされたＣＤ２から離されて、ターンテーブルにより回転されるＣＤ２に干渉（接触）しない。即ち、ＣＤ２が回転することを許容する。
【００９０】
また、前述した移動シャーシ１８とスライド部材２４のくさび部３０との間は、本明細書に記した第１の離間溝３９をなしている。さらに、前述した第２の壁２７とスライド部材２４のくさび部３０との間は、本明細書に記した第２の離間溝４０をなしている。第１の離間溝３９と第２の離間溝４０は、ホルダ１９の突起２９が侵入することを許容する。
【００９１】
第１の離間溝３９と第２の離間溝４０とは、スライド部材２４が、矢印Ｋに沿って移動することで、互いに連動して矢印Ｋに沿った幅が拡縮する（拡がったり狭くなる）。スライド部材２４が矢印Ｋに沿ってスライドした際に、第１の離間溝３９の幅が拡がると第２の離間溝４０の幅が狭くなり、第２の離間溝４０の幅が拡がると第１の離間溝３９の幅が狭くなる。また、第１の離間溝３９の幅と第２の離間溝４０の幅との和は、ホルダ１９の数から１を引いて得られる数と一つの突起２９の矢印Ｋ方向の幅との積に等しい又は略等しい。
【００９２】
前述した構成によれば、移動シャーシ１８と第２の壁２７との間に位置付けられたすべてのホルダ１９の突起２９は、モータ２０により移動部材２３とスライド部材２４とが一体に（連動して）回転（移動）することで、一つの突起２９が案内溝３１内に侵入する。残りの突起２９のうち案内溝３１に侵入した突起２９より矢印Ｋ１（図５などに示す）側に位置するホルダ１９の突起２９が第１の離間溝３９内に侵入し、案内溝３１に侵入した突起２９より矢印Ｋ２（図５などに示す）側に位置するホルダ１９の突起２９が第２の離間溝４０内に侵入する。なお、矢印Ｋ１は、前述した矢印Ｋの一方側をなしているとともに、矢印Ｋ２は、前述した矢印Ｋの他方側をなしている。
【００９３】
すべてのホルダ１９の突起２９が、案内溝３１に侵入することなく連結壁２８に近づいて移動シャーシ１８と第２の壁２７との間に位置する状態は、本明細書では、ホルダ１９が収容位置に位置するという。また、スライド部材２４のくさび部３０が連結壁２８と間隔をあけているため、収容位置では、第１の離間溝３９と第２の離間溝４０とは、一体になっている。さらに、収容位置では、複数のホルダ１９が互いに近接する。
【００９４】
突起２９が、案内溝３１の再生部３８内と、第１及び第２の離間溝３９，４０の奥に侵入する状態は、本明細書では、ホルダ１９が再生位置に位置するという。再生位置では、スライド部材２４のくさび部３０により、前記案内溝３１内に突起２９が侵入したホルダ１９は、収容位置より他のホルダ１９から離れる。再生位置では、情報を再生するＣＤ２を保持したホルダ１９が他のホルダ１９から離れるとともに、情報を再生するＣＤ２を保持したホルダ１９と他のホルダ１９との間にピックアップ７８などが侵入可能になる。
【００９５】
突起２９が、第２スライド部材２６の第２の壁２７と移動シャーシ１８との間に位置し、案内溝３１のローディング部３３内と、第１及び第２の離間溝３９，４０に侵入した状態は、本明細書では、ホルダ１９がローディング位置に位置するという。
【００９６】
また、前述した再生位置では、第１の離間溝３９内に情報を再生するＣＤ２を保持したホルダ１９の矢印Ｋ１側のホルダ１９の突起２９が侵入する。第１の離間溝３９は、前記矢印Ｋ１側のホルダ１９を、情報を再生するＣＤ２を保持したホルダ１９から離す。
【００９７】
さらに、再生位置とローディング位置では、第２の離間溝４０内に情報を再生するＣＤ２を保持したホルダ１９の矢印Ｋ２側のホルダ１９の突起２９が侵入する。第２の離間溝４０は、前記矢印Ｋ２側のホルダ１９を、情報を再生するＣＤ２を保持したホルダ１９から離す。
【００９８】
連動移動機構２２は、図２５などに示すように、第２の駆動源としてのモータ４１（図３に示す）と、駆動部材としての駆動シャーシ４２（図３に示す）と、第１突起４３と、第１孔４４と、第２突起４５と、第２孔４６とを備えている。なお、図３には、駆動シャーシ４２と後述の第２駆動シャーシ５３を２つずつ示しているが、実際には、駆動シャーシ４２と第２駆動シャーシ５３は一つずつ設けられている。
【００９９】
連動移動機構２２は、ディスク収容部６のホルダ１９を収容位置と再生位置とに亘って移動させる際には、第２スライド部材２６を、部材本体２５に対し矢印Ｋに沿って移動して、部材本体２５の第２の壁２７から最も遠ざけておく。そして、連動移動機構２２は、再生位置に位置付けるＣＤ２を保持したホルダ１９の突起２９が案内溝３１に侵入できる位置に、スライド部材２４を位置付ける。
【０１００】
連動移動機構２２は、ディスク収容部６のホルダ１９を再生位置とローディング位置とに亘って移動させる即ちＣＤ２を機器本体３内に出し入れする際には、スライド部材２４を、移動部材２３に対し矢印Ｋに沿って移動して、部材本体２５の第２の壁２７に最も近づけておく。そして、連動移動機構２２は、ローディング位置に位置付けられた即ち出し入れされたＣＤ２を保持するホルダ１９の突起２９が案内溝３１に侵入できる位置に、第２スライド部材２６を位置付ける。連動移動機構２２は、第２の駆動源としてのモータ４１の駆動力により、前述したように、スライド部材２４即ちディスク再生部５の移動シャーシ１６と、第２スライド部材２６即ちディスク収容部６の移動シャーシ１８とを連動して、矢印Ｋに沿って移動する。
【０１０１】
モータ４１は、固定シャーシ９の底板１１などに取り付けられている。駆動シャーシ４２は、板金からなり、板状に形成されている。駆動シャーシ４２の平面形状は、矩形状に形成されている。駆動シャーシ４２は、機器本体３の固定シャーシ９の周板１２に、矢印Ｋに対し直交（交差）する方向に沿って移動自在に支持されている。駆動シャーシ４２は、第２の駆動源としてのモータ４１の駆動力により回転される歯車４８と噛み合ったラック４７を有した第２駆動シャーシ５３（図２及び図３に示す）が矢印Ｋに対し直交する方向に沿ってスライドすることで、矢印Ｋに対し直交する方向に沿ってスライドする。即ち、駆動シャーシ４２は、第２の駆動源としてのモータ４１の駆動力により、矢印Ｋに対し交差（直交）する方向に沿って固定シャーシ９の周板１２に対し移動される。
【０１０２】
第１突起４３は、ディスク収容部６の移動シャーシ１８から駆動シャーシ４２に向かって突出している。第１孔４４は、駆動シャーシ４２に設けられている。勿論、第１孔４４は、駆動シャーシ４２を貫通している。第１孔４４には、第１突起４３が侵入する。
【０１０３】
第１孔４４は、図２５ないし図３２に示すように、第１平行部４９と第１傾斜部５０とを備えている、第１平行部４９は、前述した矢印Ｋに対し直交する方向に沿って直線状に延びている。第１傾斜部５０は、第１平行部４９の端に連なりかつ前述した矢印Ｋと該矢印Ｋに対し直交する方向との双方に対し交差する方向に沿って直線状に延びている。第１傾斜部５０は、第１平行部４９から離れるにしたがって徐々に部材本体２５の第２の壁２７に近づく方向に傾斜している。
【０１０４】
第２突起４５は、ディスク再生部５の移動シャーシ１６から駆動シャーシ４２に向かって突出している。第２孔４６は、駆動シャーシ４２に設けられている。勿論、第２孔４６は、駆動シャーシ４２を貫通している。第２孔４６には、第２突起４５が侵入する。
【０１０５】
第２孔４６は、第２傾斜部５１と第２平行部５２とを備えている、第２傾斜部５１は、前述した矢印Ｋと該矢印Ｋに対し直交する方向との双方に対し交差する方向に沿って直線状に延びている。第２傾斜部５１は、第２平行部５２から離れるにしたがって、徐々に部材本体２５の第２の壁２７から離れる方向に傾斜している。第２傾斜部５１は、第１傾斜部５０と平行である。第２平行部５２は、第２傾斜部５１の端に連なりかつ前述した矢印Ｋに対し直交する方向に沿って直線状に延びている。
【０１０６】
第１突起４３が第１傾斜部５０内に位置付けられると、第２突起４５が第２平行部５２内に位置付けられる。第１突起４３が第１平行部４９内に位置付けられると、第２突起４５が第２傾斜部５１内に位置付けられる。
【０１０７】
前述した連動移動機構２２は、第２の駆動源としてのモータ４１の駆動力により、ホルダ１９をローディング位置に位置付ける際即ちＣＤ２を機器本体３内に出し入れする際には、第２突起４５が第２平行部５２内を移動し、第１突起４３が第１傾斜部５０内を移動する位置に駆動シャーシ４２を位置付ける。前述した連動移動機構２２は、第２の駆動源としてのモータ４１の駆動力により、ホルダ１９を再生位置と収容位置とに亘って移動する際には、第２突起４５が第２傾斜部５１内を移動し、第１突起４３が第１平行部４９内を移動する位置に駆動シャーシ４２を位置付ける。
【０１０８】
なお、連動移動機構２２により、第２突起４５が第２平行部５２内に位置付けられると、スライド部材２４が最も部材本体２５の第２の壁２７に近づく。最も部材本体２５の第２の壁２７に近づいたスライド部材２４の案内溝３１のローディング部３３内に突起２９が位置付けられたホルダ１９は、前述した挿入口１０を通して出し入れされるＣＤ２を保持できる位置に位置付けられる。
【０１０９】
前述した構成のＣＤチェンジャ１は、機器本体３内に収容した複数のＣＤ２のうち前述した操作部などにより任意に選択された一つのＣＤ２の情報を読み出す際には、図１０に示すように、駆動源としてのモータ２０の駆動力によりすべてのホルダ１９の突起２９を連結壁２８に接触させておく。
【０１１０】
さらに、モータ２０の駆動力により、鉛直片６５を最もモータ２０寄りに位置するように、第１及び第２のスライドシャーシ６１，６２を位置付ける。そして、図３３に示すように、揺動シャーシ１７の他端部１７ｂ即ちディスク再生部５のクランプ部６７とピックアップ部６９などを、複数のＣＤ２間から退避させておく。さらに、図３６に示すように、第１及び第２のロック部材８２，８３を前述したロック位置に位置付けておく。即ち、図４４及び図４６に示すように、係止爪８５，８８で移動フレーム６６を係止させて、移動フレーム６６即ちクランプ部６７とピックアップ部６９などを揺動シャーシ１７即ち機器本体３に対し固定しておく。
【０１１１】
さらに、図４０に示すように、ピックアップ部６９を再生位置に位置付けて、第１及び第２の侵入部８１，９２をターンテーブル７２と可動部材７４との間から退避させておく。さらに、モータ２０の駆動力によりすべてのホルダ１９の突起２９を連結壁２８に接触させておく。
【０１１２】
また、第２の駆動源としてのモータ４１の駆動力により、図２５に示すように、第１突起４３が第１孔４４の第１平行部４９内に位置する位置に駆動シャーシ４２を位置付ける。そして、図１０に示すように、第２スライド部材２６に取り付けられた移動シャーシ１８を部材本体２５の第２の壁２７から最も遠ざけておく。
【０１１３】
そして、第２の駆動源としてのモータ４１の駆動力により、図２６に示すように、第２突起４５が第２孔４６の第２傾斜部５１内を移動して、情報が読み出される任意に選択された一つのＣＤ２を保持したホルダ１９の突起２９が案内溝３１に矢印Ｋに対し直交する方向に沿って相対する位置に、駆動シャーシ４２を位置付ける。そして、図６及び図１１に示すように、スライド部材２４の案内溝３１を、矢印Ｋに対し直交する方向に沿って、情報が読み出される任意に選択された一つのＣＤ２を保持したホルダ１９の突起２９と相対させる。なお、図６及び図１１では、図中上から四つ目のホルダ１９の突起２９とスライド部材２４に設けられた案内溝３１とを相対させている。
【０１１４】
そして、駆動源としてのモータ２０の駆動力により、移動部材２３即ち部材本体２５と第２スライド部材２６及びスライド部材２４を一体に回転させるとともに、鉛直片６５が徐々にモータ２０から離れる方向に第１及び第２のスライドシャーシ６１，６２が移動する。そして、すべてのホルダ１９の突起２９が、連結壁２８から徐々に離れる。すると、図１２に示すように、情報が読み出される任意に選択された一つのＣＤ２を保持したホルダ１９の突起２９が、案内溝３１の開口部３２に侵入する。さらに、他のＣＤ２を保持したホルダ１９の突起２９が、スライド部材２４のくさび部３０に接触するとともに、くさび部３０などにより、第１及び第２の離間溝３９，４０内を移動する。
【０１１５】
さらに、駆動源としてのモータ２０の駆動力により、移動部材２３即ち部材本体２５と第２スライド部材２６及びスライド部材２４を一体に回転させると、図１３に示すように、情報が読み出される任意に選択された一つのＣＤ２を保持したホルダ１９の突起２９がローディング部３３内に位置する。
【０１１６】
その後、図１４に示すように、前述した一つのＣＤ２を保持したホルダ１９の突起２９が案内溝３１のピックアップ侵入部３４内に位置する。また、このとき、鉛直片６５がモータ２０から徐々に離れる方向に第１及び第２のスライドシャーシ６１，６２が移動しているので、揺動シャーシ１７が、図３４に示すように、一端部１７ａを中心として回転して、他端部１７ｂ即ちクランプ部６７などが前述した一つのＣＤ２と他のＣＤ２との間に侵入する。
【０１１７】
そして、前述した一つのＣＤ２を保持したホルダ１９の突起２９が、第１連結部３５内を通り、図１５に示すように、挟持部３６内に位置する。このとき、ピックアップ移動部６８のモータの駆動力により、図３７に示すように、ピックアップ部６９を解除位置までターンテーブル７２に近づける。すると、図４１に示すように、第１の侵入部８１がターンテーブル７２と可動部材７４との間に侵入するとともに、ピックアップケース７９の端部に一端部９１ａが押されて回動部材９１の他端部９１ｂに設けられた第２の侵入部９２がターンテーブル７２と可動部材７４との間に侵入する。そして、クランプ部６７を、アンクランプ位置に位置付ける。そして、ターンテーブル７２の表面７２ａ上にＣＤ２が重ねられる。
【０１１８】
その後、ピックアップ移動部６８のモータの駆動力により、図３８に示すように、ピックアップ部６９をターンテーブル７２から離して、再生位置に位置付ける。すると、図４２に示すように、第１及び第２の侵入部８１，９２がターンテーブル７２と可動部材７４との間にから抜け出て、クランプ爪７５の一端部がターンテーブル７２の表面７２ａ上に突出する。そして、クランプ部６７を、クランプ位置に位置付ける。そして、ターンテーブル７２の表面７２ａ上にＣＤ２にクランプ爪７５が係止して、クランプ部６７がＣＤ２をクランプする。そして、前述した一つのＣＤ２を保持したホルダ１９の突起２９が、第２連結部３７内を通り、図７及び図１６に示すように、再生部３８内に位置する。
【０１１９】
さらに、前述した一つのＣＤ２の矢印Ｋ１側に位置するＣＤ２を保持したホルダ１９の突起２９が、スライド部材２４のくさび部３０により第１の離間溝３９の奥即ち連結壁２８から離れた側に移動する。さらに、前述した一つのＣＤ２の矢印Ｋ２側に位置するＣＤ２を保持したホルダ１９の突起２９が、スライド部材２４のくさび部３０により第２の離間溝４０の奥即ち連結壁２８から離れた側に移動する。
【０１２０】
そして、図７及び図１６に示すように、スライド部材２４のくさび部３０に設けられた案内溝３１により、前述した一つのＣＤ２を保持したホルダ１９が位置決めされる。さらに、スライド部材２４のくさび部３０と、移動シャーシ１８及び第２の壁２７とにより即ち第１及び第２の離間溝３９，４０により、前述した一つのＣＤ２を保持したホルダ１９を他のホルダ１９から離す。さらに、他のホルダ１９を、第１及び第２の離間溝３９，４０により、位置決めする。
【０１２１】
さらに、前述した一つのＣＤ２を保持したホルダ１９の突起２９が再生部３８内に位置すると、該ホルダ１９が、ディスク再生部５のクランプ部６７によりクランプされたＣＤ２から遠ざけられる。そして、ホルダ１９にＣＤ２の回転が妨げられることが防止される。さらに、モータ２０の駆動力により、鉛直片６５がモータ２０から離れる方向に移動して、図３５に示すように、第１及び第２のロック部材８２，８３がロック位置からロック解除位置に変位する。そして、図４５及び図４７に示すように、係止爪８５，８８による係止が解除されて、移動フレーム６６即ちクランプ部６７及びピックアップ部６９などが揺動シャーシ１７即ち機器本体３に対し移動自在になる。すると、図３９に示すように、係止爪８５が回動部材９１の他端部９１ｂに当接しなくなり、図４３に示すように、クランプ部６７が前述したクランプ位置に保たれる。
【０１２２】
そして、スピンドルモータ７３が、ターンテーブル７２とともにＣＤ２を回転するとともに、ピックアップ部６９の光ピックアップ７８がＣＤ２の所望の位置から情報を読み出す。前述した一つのＣＤ２からの情報の読み出しを停止する際には、駆動源としてのモータ２０の駆動力により、移動部材２３即ち部材本体２５と第２スライド部材２６及びスライド部材２４などを先ほどと逆向きに回転する。
【０１２３】
前述したように、スライド部材２４を矢印Ｋに沿って移動して、第１の離間溝３９の幅と第２の離間溝４０の幅とを連動して拡縮することで、所望のＣＤ２を保持したホルダ１９を位置決めするとともに他のホルダ１９から離す。例えば、図１７に示すように、図中下から二番目のＣＤ２を保持したホルダ１９を再生位置に位置付ける際や、図１８に示すように、図中上から二番目のＣＤ２を保持したホルダ１９を再生位置に位置付ける際も同様である。なお、図１７及び図１８に示す状態では、図２７及び図２８に示すように、第１突起４３が第１平行部４９内に位置するとともに、第２突起４５が第２傾斜部５１内に位置する。
【０１２４】
また、ＣＤ２の再生中即ちスピンドルモータ７３などによるＣＤ２の回転中には、ロック部７０が、ロック解除位置に保たれ、第１のロック部材８２の係止爪８５が回動部材９１の他端部９１ｂと間隔をあけている。このため、ばねなどの付勢力により一端部９１ａが切欠き９０内に侵入する状態に回動部材９１が保たれる。このため、ピックアップ部６９がＣＤ２の所望の位置に読取光を照射できなくなって、ピックアップ部６９が最もターンテーブル７２に近づいた後、再度、ＣＤ２の所望の位置に読取光を照射する場合に、ピックアップ部６９がターンテーブル７２に近づくと、回動部材９１の一端部９１ａにピックアップ部６９が当接して、解除位置までターンテーブル７２に近づけない。したがって、ＣＤ２の再生中即ちＣＤ２の回転中には、クランプ部６７のクランプが解除されることがない。
【０１２５】
また、前述した構成のＣＤチェンジャ１は、操作部などに命令により、機器本体３内に収容した複数のＣＤ２のうち任意に選択された一つのＣＤ２を機器本体３外に排出したり、ＣＤ２を機器本体３内に挿入して任意に選択された一つのホルダ１９に保持させる際には、図５、図８及び図１９に示すように、駆動源としてのモータ２０の駆動力によりすべてのホルダ１９の突起２９を連結壁２８に接触させておく。さらに、ディスク再生部５の揺動シャーシ１７の他端部１７ｂ即ちクランプ部６７とピックアップ部６９などを複数のＣＤ２間から退避させておく。
【０１２６】
また、図２９に示すように、第２の駆動源としてのモータ４１の駆動力により第２突起４５が第２孔４６の第２平行部５２内に位置する位置に駆動シャーシ４２を位置付ける。そして、図５、図８及び図１９に示すように、スライド部材２４を部材本体２５の第２の壁２７に最も近づけておく。
【０１２７】
そして、第２の駆動源としてのモータ４１の駆動力により、図３０に示すように、第１突起４３が第１孔４４の第１傾斜部５０内を移動して、機器本体３内に挿入されたＣＤ２を保持する又は保持したＣＤ２を機器本体３外に排出する一つのホルダ１９の突起２９が案内溝３１に矢印Ｋに対し直交する方向に沿って相対する位置に、駆動シャーシ４２を位置付ける。
【０１２８】
そして、図５、図８及び図２０に示すように、スライド部材２４の案内溝３１を、矢印Ｋに対し直交する方向に沿って、前述した一つのホルダ１９の突起２９と相対させる。なお、図５、図８及び図２０では、図中上から四つ目のホルダ１９の突起２９とスライド部材２４に設けられた案内溝３１とを相対させている。
【０１２９】
そして、駆動源としてのモータ２０の駆動力により、移動部材２３即ち部材本体２５と第２スライド部材２６及びスライド部材２４を一体に回転させる。そして、すべてのホルダ１９の突起２９が、連結壁２８から徐々に離れる。すると、図２１に示すように、前述した一つのホルダ１９の突起２９が、案内溝３１の開口部３２に侵入する。さらに、前述した他のホルダ１９の突起２９が、スライド部材２４のくさび部３０に接触するとともに、くさび部３０などにより、第１及び第２の離間溝３９，４０内を移動する。
【０１３０】
さらに、駆動源としてのモータ２０の駆動力により、移動部材２３即ち部材本体２５と第２スライド部材２６及びスライド部材２４を一体に回転させると、図９及び図２２に示すように、前述した一つのホルダ１９の突起２９が、案内溝３１のローディング部３３内に位置する。さらに、前述した他のホルダ１９の突起２９が、スライド部材２４のくさび部３０により第１の離間溝３９及び第２の離間溝４０の奥即ち連結壁２８から離れた側に移動する。
【０１３１】
そして、図９及び図２２に示すように、スライド部材２４のくさび部３０に設けられた案内溝３１により、前述した一つのホルダ１９がローディング位置に位置決めされる。さらに、スライド部材２４のくさび部３０と移動シャーシ１８及び第２の壁２７とにより即ち第１及び第２の離間溝３９，４０により、前述した一つのホルダ１９を他のホルダ１９から離す。さらに、第１及び第２の離間溝３９，４０により、他のホルダ１９を位置決めする。
【０１３２】
そして、第２の駆動源としてのモータ４１の駆動力によりローラ１４がＣＤ２を出し入れする方向に応じて回転する。ローラ１４が回転することで、挿入口１０を通して機器本体３内にＣＤ２の出し入れが行われる。前述したＣＤ２の出し入れを停止する際には、ローラ１４の回転を停止するとともに、駆動源としてのモータ２０の駆動力により、移動部材２３即ち部材本体２５と第２スライド部材２６及びスライド部材２４を先ほどと逆向きに回転する。
【０１３３】
前述したように、スライド部材２４を矢印Ｋに沿って移動することで、第１の離間溝３９の幅と第２の離間溝４０の幅とを連動して拡縮することで、所望のホルダ１９をローディング位置に位置決めするとともに他のホルダ１９から離す。例えば、図２３に示すように、図中上から二番目のホルダ１９をローディング位置に位置付ける際や、図２４に示すように、図中下から二番目のホルダ１９をローディング位置に位置付ける際も同様である。なお、図２３及び図２４に示す状態では、図３１及び図３２に示すように、第２突起４５が第２平行部５２内に位置するとともに、第１突起４３が、第１傾斜部５０内に位置する。
【０１３４】
本実施例によれば、クランプ規制解除部７１は、ロック解除位置では、クランプ部６７が解除位置までターンテーブル７２に近づくことを規制する。このため、クランプ規制解除部７１は、ロック部７０がクランプ部６７を移動可能とするロック解除位置ではクランプ部６７のクランプの解除を規制する。このため、クランプ部６７を移動可能とするロック解除位置即ちＣＤ２の回転中及び再生中のクランプ部６７のクランプの解除が規制され、クランプ部６７からＣＤ２が外れることを防止できる。したがって、ＣＤの再生中にこのＣＤ２がクランプ部６７から外れることを防止できる。
【０１３５】
また、クランプ規制解除部７１は、ロック位置では、クランプ部６７が解除位置までターンテーブル７２に近づくことを許容する。このため、クランプ規制解除部７１は、ロック部７０がクランプ部６７を固定するロック位置ではクランプ部６７のクランプの解除を許容する。このため、ロック位置で、ＣＤ２をクランプ部６７から確実に取り外すことができるとともに、ＣＤ２をクランプ部６７に確実に取り付けることができる。
【０１３６】
ロック解除位置では、クランプ規制解除部７１の切欠き９０内に回動部材９１の一端部９１ａが侵入する。また、切欠き９０がピックアップ部６９のターンテーブル７２寄りの端部と内縁部とに亘って設けられている。このため、ロック解除位置では、ピックアップ部６９がターンテーブル７２に近づいて、回動部材９１の一端部９１ａを押圧しても、一端部９１ａが切欠き９０内から抜け出る方向に回動部材９１は、回転できない。
【０１３７】
このため、ロック解除位置では、回動部材９１が、ピックアップ部６９が解除位置までターンテーブル７２に近づくことを防止できる。このため、クランプ規制解除部７１は、ロック解除位置では、クランプ部６７のクランプの解除を確実に規制できる。したがって、ＣＤ２の再生中にこのＣＤ２がクランプ部６７から外れることをより確実に防止できる。
【０１３８】
また、ロック位置では、回動部材９１は、ロック部７０の第１のロック部材８２に押圧されて、一端部９１ａがクランプ規制解除部７１の切欠き９０内から抜け出る方向に回転する。このため、ロック位置では、ピックアップ部６９がターンテーブル７２に近づいて、一端部９７ａを押圧されると、回動部材９１は、回転して、ピックアップ部６９がターンテーブル７２に近づくことを許容する。
【０１３９】
このため、クランプ規制解除部７１は、ロック位置では、クランプ部６７のクランプを確実に解除できる。したがって、ロック位置で、ＣＤ２をクランプ部６７からより確実に取り外すことができるとともに、ＣＤ２をクランプ部６７により確実に取り付けることができる。
【０１４０】
さらに、ピックアップ部６９に第１の侵入部８１が設けられ、回動部材９１の他端部９１ｂに第２の侵入部９２が設けられている。このように、クランプ部６７のクランプを解除するために可動部材７４をターンテーブル７２から離す第１及び第２の侵入部８１，９２が複数設けられている。
【０１４１】
このため、ロック位置では、可動部材７４をターンテーブル７２から確実に離して、クランプ部６７のクランプを確実に解除できる。したがって、ロック位置で、ＣＤ２をクランプ部６７からより一層確実に取り外すことができるとともに、ＣＤ２をクランプ部６７により一層確実に取り付けることができる。
【０１４２】
また、任意に選択されたＣＤ２を保持したホルダ１９の突起２９を案内溝３１内に侵入させる。選択されたホルダ１９の矢印Ｋ１側の他のホルダ１９の突起２９を第１の離間溝３９内に侵入させ、かつ矢印Ｋ２側の他のホルダ１９の突起２９を第２の離間溝４０内に侵入させる。こうして、突起２９を案内溝３１と第１の離間溝３９と第２の離間溝４０内に侵入させて、選択されたＣＤ２を他のＣＤ２から離して、選択されたＣＤ２から情報を読み出す。
【０１４３】
また、離間溝拡縮機構２１により、第１及び第２の離間溝３９，４０の幅が互いに連動して拡縮するとともに、第１の離間溝３９の幅と第２の離間溝４０の幅の和がホルダ１９の数から１を引いて得られた数と突起２９の幅との積に略等しい。このため、がたつくことなく、前述した選択されたＣＤ２を保持したホルダ１９と、他のホルダ１９を位置決めできる。
【０１４４】
このため、コイルばねを設けることなく、離間溝拡縮機構２１が第１及び第２の離間溝３９，４０の幅を連動して拡縮することで、選択された任意のＣＤ２を保持したホルダ１９を、他のホルダ１９から離すことができる。これにより、ＣＤチェンジャ１が自動車などに搭載されて、走行中などの振動が作用しても、ホルダ１９が振動することを防止できる。したがって、確実に任意に選択されたＣＤ２を保持したホルダ１９を確実に再生位置に位置付けることができる。自動車などに搭載されて、走行中などの振動が作用しても、任意に選択されたＣＤ２の情報を確実に再生することができる。
【０１４５】
離間溝拡縮機構２１が、移動部材２３と、この移動部材２３に矢印Ｋに沿って移動自在に設けられたスライド部材２４とを備えている。移動部材２３に取り付けられた移動シャーシ１８とスライド部材２４のくさび部３０との間が第１の離間溝３９を形成し、移動部材２３の第２の壁２７とスライド部材２４のくさび部３０との間が第２の離間溝４０を形成し、スライド部材２４のくさび部３０に案内溝３１が形成されている。
【０１４６】
このため、スライド部材２４を矢印Ｋに沿ってスライドすることで、第１及び第２の離間溝３９，４０の幅を確実に連動して拡縮（増減）できる。さらに、任意に選択された情報が再生されるＣＤ２を保持したホルダ１９の位置に応じて、スライド部材２４がスライドする。したがって、確実に任意に選択されたＣＤ２を保持したホルダ１９を確実に再生位置に位置付けることができる。
【０１４７】
スライド部材２４と光ピックアップ７８とが一体に（連動して）移動するので、スライド部材２４と光ピックアップ７８との相対的な位置が常に一定に保たれる。このため、スライド部材２４に設けられた案内溝３１により再生位置に位置決めされたホルダ１９に保持されたＣＤ２から光ピックアップ７８で情報を確実に再生することができる。
【０１４８】
ＣＤ２から情報を読み出す際には、移動部材２３の第２スライド部材２６を矢印Ｋ１側に移動させて、選択された情報を再生するＣＤ２を保持したホルダ１９の位置に応じて、スライド部材２４をスライドさせる。このため、ＣＤ２から情報を読み出す際には、任意のＣＤ２を再生位置に位置付けることができる。したがって、任意のＣＤ２から情報を読み出して再生できる。
【０１４９】
また、ＣＤ２を出し入れする際には、スライド部材２４を矢印Ｋ２側に移動させて、このスライド部材２４の位置と出し入れするＣＤ２に対応したホルダ１９の位置に応じて、第２スライド部材２６をスライドさせる。このため、機器本体３に出し入れされるＣＤ２を保持する又は保持したホルダ１９と機器本体３との相対的な位置を一定に保つことができる。このため、ＣＤ２を挿入口１０内を通して確実に出し入れすることができるとともに、機器本体３内に挿入されたＣＤ２をホルダ１９に確実に保持できる。
【０１５０】
また、連動移動機構２２により、ホルダ１９を収容位置と再生位置とに亘って移動することと、ホルダ１９をローディング位置に位置決めすることを一連の動作で行うことができる。このため、部品点数の削減とコストの低減を図ることができる。さらに、ホルダ１９を収容位置と再生位置とに亘って移動する状態とＣＤ２を出し入れする状態とをスムーズに切り換えることができる。
【０１５１】
連動移動機構２２が、第１孔４４と第２孔４６が設けられた駆動シャーシ４２と、ディスク収容部６の移動シャーシ１８に設けられた第１突起４３と、ディスク再生部５の移動シャーシ１６に設けられた第２突起４５とを備えている。第１孔４４は、第１傾斜部５０と第１平行部４９とからなり、第２孔４６は、第２傾斜部５１と第２平行部５２とからなる。
【０１５２】
ＣＤ２を出し入れする際には、第２突起４５が第２平行部５２内を移動し、第１突起４３が第１傾斜部５０内を移動する。これにより、ＣＤ２を出し入れする際には、ディスク再生部５の移動シャーシ１６即ちスライド部材２４が、スライドせずに、位置決めされる。さらに、ＣＤ２を出し入れする際には、ディスク収容部６の移動シャーシ１８と第２スライド部材２６即ちホルダ１９が、矢印Ｋに沿って移動する。
【０１５３】
このため、機器本体３に出し入れされるＣＤ２を保持する又は保持したホルダ１９と機器本体３との相対的な位置を一定に保つことができる。したがって、挿入口１０内を通して、ＣＤ２を確実に出し入れすることができるとともに、機器本体３内に挿入したＣＤ２をホルダ１９に確実に保持できる。
【０１５４】
ホルダ１９を収容位置と再生位置とに亘って移動する際には、第１突起４３が第１平行部４９内を移動し、第２突起４５が第２傾斜部５１内を移動する。これにより、ホルダ１９を収容位置と再生位置とに亘って移動する際には、ディスク収容部６の移動シャーシ１８と第２スライド部材２６即ちホルダ１９を、スライドせずに位置決めできる。さらに、ホルダ１９を収容位置と再生位置とに亘って移動する際には、ディスク再生部５の移動シャーシ１６即ちスライド部材２４が、矢印Ｋに沿って移動する。
【０１５５】
このため、ＣＤ２から情報を読み出す際には、任意のＣＤ２を再生位置に確実に位置決めすることができる。したがって、任意のＣＤ２から情報を読み出して再生できる。
【０１５６】
移動部材２３が円柱状に形成され、スライド部材２４が円管状に形成されている。移動シャーシ１８と第２の壁２７は移動部材２３の両縁に設けられている。移動部材２３とスライド部材２４とは、同軸に配され、駆動源としてのモータ２０の駆動力により一体に回転する。このように、移動部材２３を回転することで、ホルダ１９を収容位置と再生位置とに亘って移動できる。したがって、移動部材２３の移動軌跡を最小限にすることができ、機器本体３即ちＣＤチェンジャ１の小型化を図ることができる。
【０１５７】
前述した実施例では、記録媒体としてのＣＤ２を複数収容するＣＤチェンジャ１を示している。しかしながら、本発明では、例えば、ディスク形記録媒体としてのＭＤ（Mini Disc）を複数収容するＭＤチェンジャや、例えば、ＤＶＤ（Digital Versatile Disc）などの他のディスク形記録媒体を複数収容する記録媒体再生装置に適用しても良い。さらに、本発明は、前述したＭＤやＤＶＤなどの記録媒体を１枚だけ収容して、収容した１枚の記録媒体の情報を読み出す記録媒体再生装置に適用しても良いことは勿論である。
【０１５８】
また、前述した実施例では、移動部材２３を円柱状に形成し、スライド部材２４を円管状に形成し、軸芯周りに回転することで、これらを移動している。しかしながら、本発明では、移動部材２３とスライド部材２４などを例えば板状などの円管及び円管状以外の形状に形成し、例えば、スライドなどの軸芯周りの回転以外の方向にこれらを移動しても良い。
【０１５９】
さらに、前述した実施例では、スライド部材２４と光ピックアップ７８とを一体に移動している。しかしながら、本発明では、スライド部材２４と光ピックアップ７８とを必ずしも一体に移動しなくても良い。要するに、本発明では、スライド部材２４と光ピックアップ７８とを連動させて移動することで、これらの相対的な位置間隔を一定に保つことができれば良い。
【０１６０】
また、前述した実施例では、連動移動機構２２により、スライド部材２４の移動と、第２スライド部材２６の移動とを、一つの駆動源により行えるようにしている。しかしながら、本発明では、スライド部材２４の移動と、第２スライド部材２６の移動とを、互いに独立した駆動源により行っても良い。
【０１６１】
前述した実施例によれば、以下のＣＤチェンジャ１が得られる。
【０１６２】
（付記１）  機器本体３と、前記機器本体３に収容されたＣＤ２をクランプしてこのＣＤ２を回転するクランプ部６７と、
前記クランプ部６７を前記機器本体３に対し固定するロック位置と、前記クランプ部６７を前記機器本体３に対し移動可能とするロック解除位置とに亘って変位自在なロック部７０と、
前記ロック部７０が前記ロック解除位置に位置すると、前記クランプ部６７のクランプを解除することを規制するとともに、前記ロック部７０が前記ロック位置に位置すると、前記クランプ部６７のクランプを解除することを許容するクランプ規制解除部７１と、
を備えたことを特徴とするＣＤチェンジャ１。
【０１６３】
（付記２）  前記クランプ部６７は前記ＣＤ２を表面７２ａ上に位置付けかつこの表面７２ａ上に位置付けたＣＤ２をクランプして該ＣＤ２とともに回転するターンテーブル７２を備え、
前記ターンテーブル７２のクランプを解除する解除位置と、前記解除位置より前記ターンテーブル７２から離れて前記ターンテーブル７２にクランプさせかつ前記ＣＤ２の情報を読み出す再生位置とに亘って移動自在に設けられたピックアップ部６９を備え、
前記クランプ規制解除部７１は、前記ロック部７０が前記ロック解除位置に位置すると、前記ピックアップ部６９が解除位置まで移動することを規制し、前記ロック部７０が前記ロック位置に位置すると、前記ピックアップ部６９が解除位置まで移動することを許容する構成となっていることを特徴とする付記１記載のＣＤチェンジャ１。
【０１６４】
（付記３）  前記クランプ規制解除部７１は、前記ピックアップ部６９の前記ターンテーブル７２寄りの端部と内縁部に亘って前記ピックアップ部６９を切り欠いた切欠き９０と、
一端部９１ａが前記再生位置のピックアップ部６９の前記切欠き９０内に侵入可能な状態と、前記一端部９１ａが前記再生位置のピックアップ部６９の前記切欠き９０内から抜け出る状態とに亘って前記機器本体３に回転自在に設けられているとともに、一端部９１ａが前記切欠き９０内に侵入する状態に付勢された回動部材９１と、を備え、
前記ロック部７０が前記ロック解除位置に位置すると、前記回動部材９１の一端部９１ａが前記再生位置のピックアップ部６９の前記切欠き９０内に侵入するとともに、前記ロック部７０が前記ロック位置に位置すると、前記ロック部７０により前記一端部９１ａが前記切欠き９０内から抜け出る方向に前記回動部材９１の他端部９１ｂが押圧されて、前記回動部材９１の一端部９１ａが前記再生位置のピックアップ部６９の前記切欠き９０内から抜け出ることを特徴とする付記２記載のＣＤチェンジャ１。
【０１６５】
（付記４）  前記クランプ部６７は、前記ターンテーブル７２の表面７２ａに対し直交する方向に沿って移動自在に設けられかつ前記ターンテーブル７２に近づく方向に付勢された可動部材７４と、
前記ターンテーブル７２と前記可動部材７４との間に設けられ、かつ前記可動部材７４が前記ターンテーブル７２に近づくと一端部が前記表面７２ａから突出するとともに、前記可動部材７４が前記ターンテーブル７２から離れると前記一端部が前記表面７２ａに没するクランプ爪７５と、を備え、
前記ピックアップ部６９には、前記再生位置から解除位置に向かう際に、前記ターンテーブル７２と可動部材７４との間に侵入する第１の侵入部８１が設けられ、
前記回動部材９１の他端部９１ｂには、前記ピックアップ部６９が前記再生位置から解除位置に向かう際に、前記ターンテーブル７２と可動部材７４との間に侵入する第２の侵入部９２が設けられており、
前記解除位置では、前記第１の侵入部８１と第２の侵入部９２が前記ターンテーブル７２と前記可動部材７４との間に侵入して、前記クランプ爪７５の一端部が前記ターンテーブル７２の表面７２ａに没するとともに、
前記再生位置では、前記第１の侵入部８１と第２の侵入部９２が前記ターンテーブル７２と前記可動部材７４との間から抜け出て、前記クランプ爪７５の一端部が前記ターンテーブル７２の表面７２ａから突出することを特徴とする付記３記載のＣＤチェンジャ１。
【０１６６】
付記１に記載のＣＤチェンジャ１によれば、クランプ規制解除部は、ロック手段がクランプ部を移動可能とするロック解除位置ではクランプ部のクランプの解除を規制する。このため、クランプ部を移動可能とするロック解除位置即ち記録媒体の回転中及び再生中のクランプ部のクランプの解除が規制され、クランプ部から記録媒体が外れることを防止できる。したがって、記録媒体の再生中にこの記録媒体のクランプが外れることを防止できる。
【０１６７】
また、クランプ規制解除部は、ロック手段がクランプ部を固定するロック位置ではクランプ部のクランプの解除を許容する。このため、ロック位置で、記録媒体をクランプ部から確実に取り外すことができるとともに、記録媒体をクランプ部に確実に取り付けることができる。
【０１６８】
付記２に記載のＣＤチェンジャ１によれば、クランプ規制解除部は、ロック解除位置では、クランプ部が解除位置まで移動することを規制する。このため、クランプ規制解除部は、ロック解除位置では、クランプ部のクランプの解除を確実に規制できる。したがって、記録媒体の再生中にこの記録媒体のクランプが外れることを確実に防止できる。
【０１６９】
クランプ規制解除部は、ロック位置では、クランプ部が解除位置まで移動することを許容する。このため、クランプ規制解除部は、ロック位置では、クランプ部のクランプを確実に解除できる。したがって、ロック位置で、記録媒体をクランプ部から確実に取り外すことができるとともに、記録媒体をクランプ部に確実に取り付けることができる。
【０１７０】
付記３に記載のＣＤチェンジャ１によれば、ロック解除位置では、クランプ規制解除部の切欠き内に回動部材の一端部が侵入する。また、切欠きがピックアップ部のターンテーブル寄りの端部と内縁部とに亘って設けられている。このため、ロック解除位置では、ターンテーブルにピックアップ部が近づいて、回動部材の一端部を押圧しても、一端部が切欠き内から抜け出る方向に回動部材は、回転できない。このため、ロック解除位置では、回動部材が、ピックアップ部が解除位置までターンテーブルに近づくことを防止できる。このため、クランプ規制解除部は、ロック解除位置では、クランプ部のクランプの解除を確実に規制できる。したがって、記録媒体の再生中にこの記録媒体がクランプから外れることをより確実に防止できる。
【０１７１】
また、ロック位置では、回動部材は、ロック手段に押圧されて、一端部がクランプ規制解除部の切欠き内から抜け出る方向に回転する。このため、ロック位置では、ターンテーブルにピックアップ部が近づいて、一端部を押圧されると、回動部材は、回転して、ピックアップ部がターンテーブルに近づくことを許容する。このため、クランプ規制解除部は、ロック位置では、クランプ部のクランプを確実に解除できる。したがって、ロック位置で、記録媒体をクランプ部からより確実に取り外すことができるとともに、記録媒体をクランプ部により確実に取り付けることができる。
【０１７２】
付記４に記載のＣＤチェンジャ１によれば、ピックアップ部に第１の侵入部が設けられ、回動部材の他端部に第２の侵入部が設けられている。このように、クランプ部のクランプを解除するために可動部材をターンテーブルから離す第１及び第２の侵入部が複数設けられている。
【０１７３】
このため、ロック位置では、可動部材をターンテーブルから確実に離して、クランプ部のクランプを確実に解除できる。したがって、ロック位置で、記録媒体をクランプ部からより一層確実に取り外すことができるとともに、記録媒体をクランプ部により一層確実に取り付けることができる。
【０１７４】
なお、前述した実施例は本発明の代表的な形態を示したに過ぎず、本発明は、実施例に限定されるものではない。即ち、本発明の骨子を逸脱しない範囲で種々変形して実施することができる。
【図１】
0004163736.tif 000002
【図２】
0004163736.tif 000003
【図３】
0004163736.tif 000004
【図４】
0004163736.tif 000005
【図５】
0004163736.tif 000006
【図６】
0004163736.tif 000007
【図７】
0004163736.tif 000008
【図８】
0004163736.tif 000009
【図９】
0004163736.tif 000010
【図１０】
0004163736.tif 000011
【図１１】
0004163736.tif 000012
【図１２】
0004163736.tif 000013
【図１３】
0004163736.tif 000014
【図１４】
0004163736.tif 000015
【図１５】
0004163736.tif 000016
【図１６】
0004163736.tif 000017
【図１７】
0004163736.tif 000018
【図１８】
0004163736.tif 000019
【図１９】
0004163736.tif 000020
【図２０】
0004163736.tif 000021
【図２１】
0004163736.tif 000022
【図２２】
0004163736.tif 000023
【図２３】
0004163736.tif 000024
【図２４】
0004163736.tif 000025
【図２５】
0004163736.tif 000026
【図２６】
0004163736.tif 000027
【図２７】
0004163736.tif 000028
【図２８】
0004163736.tif 000029
【図２９】
0004163736.tif 000030
【図３０】
0004163736.tif 000031
【図３１】
0004163736.tif 000032
【図３２】
0004163736.tif 000033
【図３３】
0004163736.tif 000034
【図３４】
0004163736.tif 000035
【図３５】
0004163736.tif 000036
【図３６】
0004163736.tif 000037
【図３７】
0004163736.tif 000038
【図３８】
0004163736.tif 000039
【図３９】
0004163736.tif 000040
【図４０】
0004163736.tif 000041
【図４１】
0004163736.tif 000042
【図４２】
0004163736.tif 000043
【図４３】
0004163736.tif 000044
【図４４】
0004163736.tif 000045
【図４５】
0004163736.tif 000046
【図４６】
0004163736.tif 000047
【図４７】
0004163736.tif 000048